(57)【特許請求の範囲】
【請求項１】
遊技客に対して会員への登録を促進する会員登録促進システムであって、
管理装置は、
前記会員に関する情報である会員情報を記憶する記憶手段
を備え、
遊技台ごとに設けられる各台装置は、
前記会員が保有する会員用媒体の読み取りを行う読取手段と、
前記読取手段によって前記会員用媒体が読み取られたか否か、あるいは前記読取手段によって前記会員用媒体を読み取った結果、当該会員用媒体から特定される前記会員情報が前記記憶手段に記憶されるか否かにより遊技客が前記会員であるか否かを判定する判定手段と、
前記会員のみに許容された操作を受け付ける会員操作受付手段と、
前記判定手段によって遊技客が非会員と判定され、かつ、前記会員操作受付手段が前記会員のみに許容された操作を受け付けた場合に、当該遊技客に対して会員登録の勧誘を行う勧誘手段と
を備えたことを特徴とする会員登録促進システム。
【請求項２】
前記各台装置は、
前記遊技客が獲得した遊技媒体の計数値および前記計数値に対応付けられた前記遊技媒体の貸出レートを含んだ計数値情報が関連付けられた計数値記録媒体から前記計数値情報を取得する計数値情報取得手段
をさらに備え、
前記勧誘手段は、
前記会員操作受付手段によって受け付けられた操作が、前記各台装置における前記遊技媒体の貸出レートと前記計数値情報取得手段によって取得された前記計数値情報の貸出レートとが異なる場合の前記計数値の払出操作であった場合に、当該遊技客に対して会員登録の勧誘を行うことを特徴とする請求項１に記載の会員登録促進システム。
【請求項３】
前記記憶手段によって記憶される前記会員情報に対してあらたな会員登録を行う会員登録手段と、
前記勧誘手段によって勧誘された遊技客が前記会員登録手段によって会員登録を行った場合には、前記会員にのみ許容された操作を受け付けるように前記会員操作受付手段に対して指示する指示手段と
をさらに備えたことを特徴とする請求項１または２に記載の会員登録促進システム。
【請求項４】
前記各台装置は、
前記会員登録手段
を備えており、
前記会員用媒体は、
前記会員が保有する携帯端末であることを特徴とする請求項１、２または３に記載の会員登録促進システム。
【発明の詳細な説明】
【技術分野】
【０００１】
この発明は、遊技客に対して会員への登録を促進する会員登録促進システムに関し、特に、遊技客に負荷をかけることなく会員登録処理を行うことができるとともに、会員登録を行った遊技客に対して会員サービスをただちに提供することができる会員登録促進システムに関するものである。
【背景技術】
【０００２】
従来、パチンコ機やパチスロ機といった遊技台が設置されるパチンコ店等の遊技店では、遊技店の会員を募集して集客力の強化を図っている。そして、各遊技店では、会員登録を行った会員に対して会員カードを発行し、発行した会員カードを用いて会員に対して会員サービスを提供している。
【０００３】
また、携帯電話などの携帯端末の普及に伴い、会員カードの代わりに遊技客が所有する携帯端末を使用して会員の登録処理、および、会員サービスを提供する遊技店が増加している。
【０００４】
たとえば、特許文献１には、携帯会員の登録処理を行う計数機が開示されている。ここで、特許文献１の計数機は、いわゆる遊技島の島端に設置されており、遊技を終了した遊技客が獲得した遊技媒体を持ち込んで計数する装置である。そして、この計数機は、遊技媒体の計数を行う際に、携帯会員の登録処理を併せて行う。なお、「携帯会員」とは、携帯端末を会員カードの代わりとして使用している会員のことを指す。
【先行技術文献】
【特許文献】
【０００５】
【特許文献１】特開２００９−２１３６５９号公報
【発明の概要】
【発明が解決しようとする課題】
【０００６】
しかしながら、特許文献１の計数機を用いて携帯会員の登録を行おうする場合には、遊技客は一旦遊技を中断して計数機まで赴き、携帯会員の登録処理を行う必要があるという問題があった。
【０００７】
また、近年では、遊技台ごとに遊技媒体を計数することができる各台装置を導入している遊技店も増えている。この場合、遊技客は、わざわざ島端まで赴いて特許文献１の計数機によって遊技媒体を計数する必要がない。したがって、携帯会員の登録機能を有する特許文献１の計数機自体が、遊技店へ導入されないようになってきている。
【０００８】
このため、各台装置を導入している遊技店では、遊技店に設けられる景品カウンタに併設された会員登録用端末で、携帯会員の登録を行う運用を行わざるを得ない。したがって、遊技客が携帯会員の登録を行いたい場合、遊技客はわざわざ景品カウンタへ赴く必要があるので、携帯会員の登録数が伸び悩んでいた。
【０００９】
また、特許文献１の計数機を用いて携帯会員として登録された遊技客が、会員サービスを受けようとした場合、会員サービスを提供している装置（たとえば、各台装置）へ再度、移動する必要がある。
【００１０】
これらのことから、遊技客に負荷をかけることなく会員登録処理を行うことができるとともに、会員登録を行った遊技客に対して会員サービスをただちに提供することができる会員登録促進システムをいかにして実現するかが大きな課題となっている。
【００１１】
この発明は、上述した従来技術による問題点を解消するためになされたものであって、遊技客に負荷をかけることなく会員登録処理を行うことができるとともに、会員登録を行った遊技客に対して会員サービスをただちに提供することができる会員登録促進システムを提供することを目的とする。
【課題を解決するための手段】
【００１２】
上述した課題を解決し、目的を達成するため、本発明は、遊技客に対して会員への登録を促進する会員登録促進システムであって、管理装置は、前記会員に関する情報である会員情報を記憶する記憶手段を備え、遊技台ごとに設けられる各台装置は、前記会員が保有する会員用媒体の読み取りを行う読取手段と、前記読取手段によって前記会員用媒体が読み取られたか否か、あるいは前記読取手段によって前記会員用媒体を読み取った結果、当該会員用媒体から特定される前記会員情報が前記記憶手段に記憶されるか否かにより遊技客が前記会員であるか否かを判定する判定手段と、前記会員のみに許容された操作を受け付ける会員操作受付手段と、前記判定手段によって遊技客が非会員と判定され、かつ、前記会員操作受付手段が前記会員のみに許容された操作を受け付けた場合に、当該遊技客に対して会員登録の勧誘を行う勧誘手段とを備えたことを特徴とする。
【００１３】
また、本発明は、上記の発明において、前記各台装置は、前記遊技客が獲得した遊技媒体の計数値および前記計数値に対応付けられた前記遊技媒体の貸出レートを含んだ計数値情報が関連付けられた計数値記録媒体から前記計数値情報を取得する計数値情報取得手段をさらに備え、前記勧誘手段は、前記会員操作受付手段によって受け付けられた操作が、前記各台装置における前記遊技媒体の貸出レートと前記計数値情報取得手段によって取得された前記計数値情報の貸出レートとが異なる場合の前記計数値の払出操作であった場合に、当該遊技客に対して会員登録の勧誘を行うことを特徴とする。
【００１４】
また、本発明は、上記の発明において、前記記憶手段によって記憶される前記会員情報に対してあらたな会員登録を行う会員登録手段と、前記勧誘手段によって勧誘された遊技客が前記会員登録手段によって会員登録を行った場合には、前記会員にのみ許容された操作を受け付けるように前記会員操作受付手段に対して指示する指示手段とをさらに備えたことを特徴とする。
【００１５】
また、本発明は、上記の発明において、前記各台装置は、前記会員登録手段を備えており、前記会員用媒体は、前記会員が保有する携帯端末であることを特徴とする。
【発明の効果】
【００１６】
本発明によれば、遊技客に対して会員への登録を促進する会員登録促進システムにおいて、会員に関する情報である会員情報を管理装置が記憶し、会員が保有する会員用媒体の読み取りを遊技台ごとに設けられる各台装置が行い、会員用媒体が読み取られたか否か、あるいは会員用媒体を読み取った結果、当該会員用媒体から特定される会員情報が記憶されるか否かにより遊技客が会員であるか否かを各台装置が判定し、会員のみに許容された操作を各台装置が受け付け、遊技客が非会員と判定され、かつ、会員のみに許容された操作を受け付けた場合に、当該遊技客に対して会員登録の勧誘を各台装置が行うこととしたので、遊技客に負荷をかけることなく会員登録処理を行うことができるとともに、会員登録を行った遊技客に対して会員サービスを、ただちに提供することができるという効果を奏する。
【００１７】
また、本発明によれば、遊技客が獲得した遊技媒体の計数値および計数値に対応付けられた遊技媒体の貸出レートを含んだ計数値情報が関連付けられた計数値記録媒体から計数値情報を各台装置が取得し、受け付けられた操作が、各台装置における遊技媒体の貸出レートと取得された計数値情報の貸出レートとが異なる場合の計数値の払出操作であった場合に、当該遊技客に対して会員登録の勧誘を各台装置が行うこととしたので、遊技客に負荷をかけることなく会員登録処理を行うことができるとともに、会員登録を行った遊技客に対して遊技客が獲得した遊技媒体が関連付けられているカードをもって、レートの異なる遊技台に移動を行い、再遊技することができるという効果を奏する。
【００１８】
また、本発明によれば、記憶される会員情報に対してあらたな会員登録を行い、勧誘された遊技客が会員登録を行った場合には、会員にのみ許容された操作を受け付けるように指示することとしたので、会員でない遊技客であっても、会員登録を行った遊技客に対して会員サービスを、ただちに提供することができるという効果を奏する。
【００１９】
また、本発明によれば、記憶される会員情報に対してあらたな会員登録を各台装置が行い、会員用媒体は、会員が保有する携帯端末であることとしたので、遊技客に負荷をかけることなく容易に会員登録処理を行うことができるという効果を奏する。
【図面の簡単な説明】
【００２０】
【図１】図１は、本発明に係る会員登録促進システムの概要を示す図である。
【図２】図２は、本実施例に係る会員登録促進システムの構成を示すブロック図である。
【図３】図３は、各台装置の外観図である。
【図４】図４は、本実施例に係る会員登録促進システムのシステム構成図である。
【図５】図５は、持玉情報の一例を示す図である。
【図６】図６は、会員情報の一例を示す図である。
【図７】図７は、携帯会員の入会操作画面の表示例を示す図である。
【図８】図８は、各台装置が実行する会員サービス提供処理手順の概要を示すフローチャートである。
【図９】図９は、携帯会員用サービス画面の表示例を示す図である。
【発明を実施するための形態】
【００２１】
以下に添付図面を参照して、本発明に係る会員登録促進システムの好適な実施例を詳細に説明する。なお、以下では、本発明に係る会員登録促進システムの概要について図１を用いて説明した後に、本発明に係る会員登録促進システムについての実施例を図２〜図９を用いて説明することとする。
【００２２】
まず、本発明に係る会員登録促進システムの概要について図１を用いて説明する。図１は、本発明に係る会員登録促進システムの概要を示す図である。なお、図１の（Ａ）には、従来技術に係る会員登録促進システムを、図１の（Ｂ）には、本発明に係る会員登録促進システムを、それぞれ示している。
【００２３】
図１の（Ａ）に示すように、従来技術に係る会員登録促進システムでは、１円レートのパチンコ機で遊技した遊技客が獲得したパチンコ玉（以下、「持玉」と記載する）をパチンコ機に併設される各台装置で計数していた(図１の(Ａ−１)参照)。
【００２４】
そして、各台装置は、非会員の遊技客によってカード返却ボタンが押下されると、貸出レート（１円）と各台装置で計数された持玉の数(以下、「計数値」と記載する)（１０００個）とを関連付けたビジターカードを発行していた(図１の(Ａ−２)参照)。
【００２５】
その後、非会員の遊技客が遊技台を移動し、貸出レート（１円）と計数値（１０００個）とが関連付けられたビジターカードが、異なるレート（同図では、４円レート）のパチンコ機に併設される各台装置に挿入されたとする(図１の(Ａ−３)参照)。
【００２６】
この場合、従来技術に係る会員登録促進システムでは、パチンコ機とは異なるレートが関連付けられたビジターカードでの遊技媒体貸出を禁止する運用の場合、遊技媒体の貸出を行うことなく、ビジターカードを返却していた(図１の(Ａ−４)参照)。
【００２７】
そこで、本発明に係る会員登録促進システムでは、図１の（Ｂ）に示すように、パチンコ機とは異なるレートが関連付けられたビジターカードが挿入された場合、各台装置では、携帯会員の登録を促し、会員登録の入会操作を受け付けることとした。そして、各台装置は、パチンコ機とは異なるレートが関連付けられたビジターカードに基づく遊技媒体の貸出、すなわち、レート間移動サービスと呼ばれる会員用サービスを提供することとした。
【００２８】
具体的には、図１の（Ｂ）に示したように、貸出レート（１円）と計数値（１０００個）とが関連付けられたビジターカードが４円レートのパチンコ機に併設される各台装置に挿入されたとする(図１の(Ｂ−１)参照)。
【００２９】
この場合、本発明に係る会員登録促進システムは、自動的に携帯会員の登録モードとなり(図１の(Ｂ−２)参照)、各台装置の表示部へ携帯会員の登録を促すメッセージ等を報知する。たとえば、各台装置の表示部には、「遊技客の所有する携帯端末をタッチして下さい」といったメッセージが表示され、遊技客へ携帯会員の登録を促すこととなる。
【００３０】
そして、各台装置は、遊技客による携帯端末のタッチを受け付け、さらに、操作部経由で、会員登録に必要な項目の入力といった携帯会員の入会操作を受け付ける(図１の(Ｂ−３)参照)。
【００３１】
ここで、各台装置は、携帯端末のタッチを受け付けたならば、ＩＤｍと呼ばれる携帯端末の識別子を読み取り、遊技客による携帯会員の入会操作を受け付けたならば、読み取ったＩＤｍに関連付けて携帯会員の会員情報を登録する。
【００３２】
その後、本発明に係る会員登録促進システムは、携帯会員に対して会員サービスの提供を行う(図１の(Ｂ−４)参照)。ここでは、パチンコ機の貸出レートとは異なるレートが関連付けられたビジターカードの計数値をパチンコ機の貸出レートに基づいて換算し、パチンコ玉の貸出を行う「レート間移動サービス」を提供する。
【００３３】
なお、図１では、提供する会員サービスの一例として「レート間移動サービス」について説明したが、その他の会員サービスを提供することもできる。なお、「貯玉サービス」を、会員サービスとして提供する場合の詳細については後述することとする。
【００３４】
このように、本発明に係る会員登録促進システムは、非会員の遊技客が会員サービスを受けようとした際に、各台装置が自動的に携帯会員の登録モードとなり、携帯会員の入会操作を受け付けることとした。そして、各台装置は、あらたに携帯会員として登録された遊技客へただちに会員サービスを提供することとした。
【００３５】
したがって、本発明に係る会員登録促進システムによれば、遊技客に負荷をかけることなく会員登録処理を行うことができるとともに、会員登録を行った遊技客に対して会員サービスをただちに提供することができる。
【００３６】
以下では、図１を用いて説明した本発明に係る会員登録促進システムについての実施例を詳細に説明する。
【実施例】
【００３７】
図２は、本実施例に係る会員登録促進システムの構成を示すブロック図である。同図に示すように、会員登録促進システムは、各台装置１０と、管理装置２０とを含んでいる。なお、図２では、各台装置１０および管理装置２０の特徴点を説明するために必要な構成要素のみを抜粋して示している。
【００３８】
同図に示すように、各台装置１０は、通信Ｉ／Ｆ（インターフェース）１１と、カードＲ／Ｗ部（リーダ／ライタ）１２と、表示操作部１３と、携帯読取部１４と、記憶部１５と、制御部１６とを備えている。また、記憶部１５は、レート情報１５ａを記憶しており、制御部１６は、終了処理部１６ａと、持玉情報取得部１６ｂと、会員登録処理部１６ｃと、会員サービス提供部１６ｄと、会員情報取得部１６ｅとをさらに備えている。
【００３９】
通信Ｉ／Ｆ１１は、管理装置２０またはパチンコ機３０との間で通信データの送受信を行う通信デバイスで構成されている。たとえば、通信Ｉ／Ｆ１１は、携帯会員の入会操作の際、遊技客によって入力された会員登録に必要な項目を管理装置２０へ送信する。
【００４０】
カードＲ／Ｗ部１２は、持玉の計数値および貸出レートが関連付けられた会員カードやビジターカードの発行または受け付けを行う。具体的には、カードＲ／Ｗ部１２は、計数値および貸出レートが関連付けられた会員カードやビジターカードを受け付け、会員カードやビジターカードの識別子（以下、「カードＩＤ」と記載する）を読み込み、持玉情報取得部１６ｂへ渡す。
【００４１】
なお、カードＩＤを受け取った持玉情報取得部１６ｂでは、カードＩＤに関連付けられている計数値および貸出レートを取得し、各台装置１０は、取得した計数値によってパチンコ玉の払出しを行うこととなる。
【００４２】
また、カードＲ／Ｗ部１２は、非会員の遊技客によってカード返却ボタンが押下された場合に、カードＩＤに対応付けて貸出レートおよび計数値を関連付けたビジターカードを排出（発行）する。
【００４３】
一方、カードＲ／Ｗ部１２は、カードＲ／Ｗ部１２へ会員カードを挿入して遊技を行っているカード会員によってカード返却ボタンが押下された場合には、会員カードのカードＩＤに対応付けて貸出レートおよび計数値を関連付けて会員カードを返却する。
【００４４】
表示操作部１３は、携帯会員の登録モードであることや会員登録に必要な項目の入力を促す表示を行う表示部と、カード返却操作、携帯会員の登録操作、パチンコ玉の払出指示操作、貯玉操作といった各種操作を受け付ける操作部とを備えている。また、表示操作部１３は、パチンコ玉の払出指示操作を受け付けるとともに、払出が行われたパチンコ玉の数が減算された計数値の残数を表示することとなる。
【００４５】
携帯読取部１４は、遊技客の所有する携帯端末がタッチされた場合に、携帯端末の識別子であるＩＤｍを読み取り、読み取ったＩＤｍを会員情報取得部１６ｅへ渡す。その後、会員情報取得部１６ｅでは、ＩＤｍに関連付けられる会員情報２２ｂを取得することとなる。
【００４６】
なお、本実施例では、携帯端末の識別子であるＩＤｍを用いる場合について示すが、携帯端末を一意に識別することができる情報、たとえば、メールアドレスを用いることとしてもよい。
【００４７】
ここで、各台装置１０の概要構成を説明するために、図３を用いて各台装置１０の外観について説明しておく。図３は、各台装置１０の外観図である。なお、同図には、各台装置１０が併設されたパチンコ機３０を破線で示している。
【００４８】
図３に示すように、各台装置１０は、各台装置１０の装置状態を所定色のランプの点灯あるいは点滅で表示する状態表示部３１と、パチンコ玉の払出のための各種紙幣を受け付ける紙幣挿入部３２とを備えている。
【００４９】
また、各台装置１０は、従業員が携帯するリモコン（携帯端末装置）からの指示を受け付けるリモコン受光部３３と、携帯会員の登録操作や貯玉操作を受け付けたり、携帯会員の登録モードであることを表示したりする表示操作部１３とを備えている。
【００５０】
また、各台装置１０は、パチンコ玉を払い出すノズルを備えた持玉払出部３４と、持玉の計数値や貸出レートが関連付けられたカード（会員カードまたはビジターカード）の受け付け、会員カードの返却、ビジターカードの発行を行うカードＲ／Ｗ部１２とを備えている。なお、カードＲ／Ｗ部１２の内部には、複数枚のビジターカードが収納されているものとする。
【００５１】
さらに、各台装置１０は、携帯端末の識別子であるＩＤｍを読み取る携帯読取部１４と、持玉を計数する玉計数部３５と、持玉を貯留する玉貯留部３６とを備えている。また、玉貯留部３６の前面には、持玉の計数結果等を表示する計数表示部３７をさらに備えている。
【００５２】
各台装置１０は、同図に示すパチンコ機３０の下皿３８から持玉を玉貯留部３６へ誘導し、玉計数部３５で持玉の数量を計数する。なお、計数後のパチンコ玉は、図示しないパチンコ玉回収経路へ排出される。
【００５３】
そして、各台装置１０は、表示操作部１３に設けられる図示しない持玉払出ボタンが押下された場合には、玉計数部３５で計数された計数値から払出数を減算して、ノズルを備えた持玉払出部３４経由でパチンコ機３０へパチンコ玉を投出する。
【００５４】
また、パチンコ機３０の図示しない上皿部分には、各台装置１０の制御部１６と電気的に接続されている玉貸ボタンが設けられており、この玉貸ボタンが押下された場合は、紙幣挿入部３２へ挿入された各種紙幣の残額あるいはカードＲ／Ｗ部１２に挿入されたカードに関連付けられた計数値から払出数を減算し、パチンコ玉をパチンコ機３０へ投出する。
【００５５】
図２の説明に戻り、各台装置１０についての説明をつづける。記憶部１５は、不揮発性メモリやハードディスクドライブといった記憶デバイスで構成される記憶部である。この記憶部１５は、各台装置１０がパチンコ玉の貸出を行う際の貸出レートをレート情報１５ａとして記憶する。
【００５６】
制御部１６は、各台装置１０の全体制御を行う制御部である。終了処理部１６ａは、表示操作部１３またはパチンコ機３０が備えるカード返却ボタンが押下された場合に、カードＩＤ、貸出レートおよび計数値を、会員カードやビジターカードに関連付ける処理を行う処理部である。また、終了処理部１６ａは、返却するカードのカードＩＤ、貸出レートおよび計数値を管理装置２０へ送信する処理を併せて行う。
【００５７】
持玉情報取得部１６ｂは、カードＲ／Ｗ部１２へ挿入された会員カードやビジターカードのカードＩＤに基づいて管理装置２０に記憶される持玉情報２２ａから貸出レートおよび計数値を取得する処理を行う処理部である。また、持玉情報取得部１６ｂは、管理装置２０から取得した貸出レートとレート情報１５ａの貸出レートとが異なる場合に、会員登録処理部１６ｃへ携帯会員の登録モードへの切り替え指示を行う処理を併せて行う。
【００５８】
会員登録処理部１６ｃは、持玉情報取得部１６ｂから携帯会員の登録モードへの切り替え指示を受け付けた場合に、携帯端末をタッチによって携帯会員の会員登録を行うことができる旨を、表示操作部１３へ表示させる処理を行う処理部である。
【００５９】
また、会員登録処理部１６ｃは、携帯端末をタッチした遊技客が携帯会員ではない旨を会員情報取得部１６ｅから通知された場合に、会員登録に必要な項目の入力を促す旨を表示操作部１３へ表示させる処理を併せて行う。
【００６０】
さらに、会員登録処理部１６ｃは、携帯読取部１４で読み取ったＩＤｍとともに、携帯会員の入会操作の際に表示操作部１３から受け付けた会員登録に必要な項目を管理装置２０へ送信する処理を併せて行う。
【００６１】
なお、会員登録処理部１６ｃは、携帯端末をタッチした遊技客が携帯会員である旨を会員情報取得部１６ｅから通知された場合には、会員サービス提供部１６ｄに対して会員サービスの提供を指示する。
【００６２】
会員サービス提供部１６ｄは、会員登録処理部１６ｃから携帯会員の登録が完了した旨を受け付けた場合、または、カードＲ／Ｗ部１２へ挿入されたカードが会員カードである場合に、上記した「レート間移動サービス」を提供する処理を行う処理部である。
【００６３】
会員情報取得部１６ｅは、携帯読取部１４で読み取ったＩＤｍを管理装置２０へ送信するとともに、送信したＩＤｍに関連付けられた会員情報２２ｂを管理装置２０から取得する処理を行う処理部である。
【００６４】
また、会員情報取得部１６ｅは、取得した会員情報２２ｂに基づいて遊技客が携帯会員であるか否かを会員登録処理部１６ｃへ通知する処理を併せて行う。
【００６５】
ここで、会員情報取得部１６ｅは、送信したＩＤｍで会員情報２２ｂの取得に成功した場合に、遊技客が携帯会員であると判定し、会員情報２２ｂの取得に失敗した場合に、遊技客が携帯会員ではないと判定する。
【００６６】
なお、本実施例では、各台装置１０の会員情報取得部１６ｅによって取得された会員情報２２ｂに基づいて遊技客が携帯会員であるか否かを判定することとしたが、管理装置２０側で、遊技客が携帯会員であるか否かを判定することとしてもよい。このようにすることで、各台装置１０側では、携帯会員であるか否かの結果のみを受信すればよく、通信負荷や各台装置１０側の処理負荷を軽減することができる。
【００６７】
つぎに、管理装置２０の構成について説明する。管理装置２０は、通信Ｉ／Ｆ２１と、記憶部２２と、制御部２３とを備えている。また、制御部２３は、持玉情報送受信部２３ａと、会員情報送信部２３ｂと、会員登録部２３ｃとをさらに備えており、記憶部２２は、持玉情報２２ａと、会員情報２２ｂとを記憶する。
【００６８】
通信Ｉ／Ｆ２１は、ＬＡＮカード等の通信デバイスで構成されており、ＬＡＮ（Local  Area  Network）等のネットワーク経由で、各台装置１０や遊技店内に設置された各種機器との間のデータ送受信を行う。
【００６９】
記憶部２２は、不揮発性メモリやハードディスクドライブといった記憶デバイスで構成される記憶部である。この記憶部２２は、カードＩＤに関連付けて貸出レートと計数値とを持玉情報２２ａとして記憶する。
【００７０】
また、記憶部２２は、ＩＤｍに関連付けて会員登録に必要な項目を会員情報２２ｂとして記憶する。ここで、会員登録に必要な項目には、簡易属性情報や個人情報、たとえば、氏名、暗証番号、性別および生年月日等が含まれる。なお、持玉情報２２ａおよび会員情報２２ｂの詳細については後述することとする。
【００７１】
持玉情報送受信部２３ａは、各台装置１０の終了処理部１６ａから受信したカードＩＤ、貸出レートおよび計数値を持玉情報２２ａとして登録する処理を行う処理部である。また、持玉情報取得部１６ｂから受信したカードＩＤに基づいて貸出レートおよび計数値を持玉情報２２ａから検索し、各台装置１０の持玉情報取得部１６ｂへ送信する処理を併せて行う。
【００７２】
会員情報送信部２３ｂは、各台装置１０の会員情報取得部１６ｅから受信したＩＤｍを用いて会員情報２２ｂを検索することで会員登録された項目を抽出し、抽出した項目を各台装置１０の会員情報取得部１６ｅへ送信する処理を行う処理部である。
【００７３】
会員登録部２３ｃは、各台装置１０の会員登録処理部１６ｃから受信したＩＤｍおよび会員登録に必要な項目を関連付けたうえで、会員情報２２ｂとして登録する処理を行う処理部である。
【００７４】
つぎに、本実施例に係る会員登録促進システムの構成について図４を用いて説明する。
【００７５】
図４は、本実施例に係る会員登録促進システムのシステム構成図である。同図に示すように、遊技店に設置された管理装置２０には、ＬＡＮ（Local  Area  Network）等のネットワーク経由で、島コントローラ４０と、精算機５０と、景品管理装置６０と、携帯端末処理機７０とが接続されている。
【００７６】
また、島コントローラ４０の配下には、複数組の各台装置１０およびパチンコ機３０が接続されている。なお、同図には、２台の島コントローラ４０のみを示しているが、管理装置２０には所定数の島コントローラ４０が接続されるものとする。
【００７７】
また、各台装置１０は、島コントローラ４０と各パチンコ機３０との間に介在し、ひとつの島コントローラ４０に対して、所定数の各台装置１０が接続されるものとする。なお、遊技店内には、たとえば、所定の遊技島には４円レートのパチンコ機３０が設置され、その他の遊技島には１円レートのパチンコ機３０が設置される装置構成のように、異なる貸出レートのパチンコ機３０が混在して設置されるものとする。
【００７８】
管理装置２０は、持玉情報２２ａおよび会員情報２２ｂを記憶部２２に記憶しており、会員カードまたはビジターカードに関連付けられた持玉に関する情報や携帯会員の入会操作の際に入力された項目を含む情報等を管理している。
【００７９】
また、管理装置２０は、図示しないウェブサーバ装置が接続されているものとし、ウェブサーバ装置経由で、遊技店の特典情報等を携帯会員の所有する携帯端末へ通知するサービスも提供している。
【００８０】
ここで、ウェブサーバ装置は、携帯会員が所有する携帯端末に対してウェブページを提供するコンピュータであり、会員向けのサービス情報等をウェブページへ変換する。一方、管理装置２０は、各種情報が記載されているウェブページのＵＲＬ（Uniform  Resource  Locator）を、携帯会員の所有する携帯端末へメール等で通知する。
【００８１】
これにより、携帯会員は自身の携帯端末で、管理装置２０から通知されたＵＲＬに接続することで、特典情報等の各種情報が表示されたウェブページを閲覧することができる。なお、本実施例では、携帯会員に対してのみ、ウェブページの閲覧サービスを提供することとしたが、非携帯会員に対してもウェブページの閲覧サービスを提供することとしてもよい。
【００８２】
島コントローラ４０は、遊技島に設けられた一群のパチンコ機３０および各台装置１０を束ねる中継装置である。パチンコ機３０は、パチンコ玉を遊技領域に打ち込んで遊技客がパチンコ遊技を行う装置である。
【００８３】
精算機５０は、紙幣挿入部３２に挿入された各種紙幣の残額が会員カードまたはプリペイドカードに関連付けられている場合に、残額が関連付けられているカードが挿入されると、残額に相当する現金の払出を行う。また、精算機５０は、紙幣挿入部３２に挿入された各種紙幣の残額が携帯端末に関連付けられている場合に、携帯端末のタッチを受け付けると、残額に相当する現金の払出を行う。
【００８４】
景品管理装置６０は、遊技店内の景品交換カウンタに併設された景品交換用の端末装置であり、図示しない交換玉数管理情報を用いて獲得玉と景品との交換を管理する。なお、交換玉数管理情報は、景品毎にその景品との交換に要する交換玉数およびレートを対応付けた情報である。
【００８５】
ここで、携帯会員は、景品交換カウンタへ携帯端末を持参し、景品管理装置６０または景品管理装置６０に併設された携帯端末処理機７０に携帯端末をタッチすることで、ＩＤｍに関連付けられたレートおよび計数値に応じた景品を受け取ることができる。
【００８６】
なお、非携帯会員が、ビジターカードや会員カードを持参し、景品管理装置６０にビジターカードや会員カードを挿入したりした場合には、計数値に応じた景品を受け取ることができるものとする。
【００８７】
その際、景品交換カウンタ内の従業員が、遊技客により指定された景品に対応する交換ボタンを押下する。交換ボタンの押下を受け付けた景品管理装置６０は、指定された景品に相当する交換玉数を計数値から減算する交換制御を実行する。その後、従業員が手作業によって遊技客に指定された景品を渡すこととなる。
【００８８】
つぎに、持玉情報２２ａおよび会員情報２２ｂの詳細について、図５〜６を用いて説明する。図５は、持玉情報２２ａの一例を示す図である。
【００８９】
図５に示すように、持玉情報２２ａは、「カードＩＤ」項目と、「レート」項目と、「計数値」項目とを含んでいる。「カードＩＤ」項目は、会員カードまたはビジターカードの識別子であり、カードを一意に識別することができる情報である。
【００９０】
「レート」項目は、パチンコ機３０または各台装置１０がパチンコ玉の払出を行う際の貸出レートである。また、「計数値」項目は、各台装置１０によって遊技客が獲得したパチンコ玉が計数された計数値である。
【００９１】
このように、管理装置２０は、カードＩＤに関連付けて貸出レートおよび計数値を持玉情報２２ａとして管理している。また、各台装置１０は、遊技客によってカードＩＤが関連付けられている会員カードまたはビジターカードがカードＲ／Ｗ部１２に挿入されたならば、カードＩＤに基づいて持玉情報２２ａから「レート」および「計数値」を取得する。
【００９２】
そして、パチンコ機３０の貸出レートとカードに関連付けられたレートとが同じ場合に、各台装置１０は、カードに関連付けられた計数値から払出数を減算し、パチンコ玉をパチンコ機３０へ投出する。
【００９３】
なお、持玉情報２２ａでは、カードＩＤに関連付けて「レート」項目と「計数値」項目とを含むこととしたが、「レート」項目は必ずしも持玉情報２２ａに含まれていなくてもよい。たとえば、持玉情報２２ａでは、カードＩＤに関連付けて計数機を識別する「計数機番号」項目と「計数値」項目とを含むこととしてもよい。
【００９４】
そして、別途、管理装置２０は、「計数機番号」と「レート」とを関連付けて、レート情報として管理することとしてもよい。この場合、各台装置１０は、カードＩＤに基づいて計数機番号を取得し、取得した計数機番号に基づいてレートを取得することとなる。
【００９５】
また、カード会員または携帯会員に対しては、パチンコ機３０の貸出レートとカードに関連付けられたレートとが異なる場合であっても、各台装置１０は「レート間移動サービス」を提供することによって、パチンコ玉の貸出を行うことができる。
【００９６】
具体的には、ある遊技店では、４円レートのパチンコ機３０は、１個４円でパチンコ玉を貸出し、各台装置１０は、４円レートのパチンコ玉１個分を１円レートの持玉数の４個分と換算するものとする。
【００９７】
そして、「カードＩＤ：１０１、レート：１円、計数値：１０００個」の情報（図５の１行目参照）が関連付けられているカードが、４円レートのパチンコ機３０に併設される各台装置１０に挿入されたとする。この場合、１回のパチンコ玉の払出指示によって１００個のパチンコ玉を貸出すとしたならば、１円レートの個数に換算すると、４００個（１００個×４円）となる。
【００９８】
したがって、４円レートのパチンコ機３０に併設された各台装置１０は、１回の払出指示を受け付けることによってカードに関連付けられた計数値（１０００個）から換算数（４００個）を減算し、１００個のパチンコ玉をパチンコ機３０へ投出することとなる。
【００９９】
なお、本実施例では、４円レートのパチンコ玉１個を１円レートの持玉数の４個と換算することとしたが、たとえば、４円レートのパチンコ玉１個を１円レートの持玉数の５個と換算するように、他の換算値でレート間移動サービスを行うこととしてもよい。これにより、遊技店がレート間移動に伴う手数料に相当するパチンコ玉を、持玉数から徴収することもできる。
【０１００】
一方、パチンコ機３０の貸出レートとビジターカードに関連付けられたレートとが異なる場合に、各台装置１０は、携帯端末をタッチして携帯会員の会員登録を行う旨を促し、入会操作を行った遊技客に対して、上述した「レート間移動サービス」を提供することとなる。なお、入会操作の詳細については後述することとする。
【０１０１】
つづいて、会員情報２２ｂの詳細について、図６を用いて説明する。図６は、会員情報の一例を示す図である。
【０１０２】
図６に示すように、会員情報２２ｂは、携帯会員の入会操作の際に入力された項目であり、「ＩＤｍ」項目と、「氏名」項目と、「性別」項目と、「生年月日」項目と、「暗証番号」項目とを含んでいる。
【０１０３】
「ＩＤｍ」項目は、携帯端末の識別子であり、携帯端末を一意に識別することができる情報である。「氏名」項目は、携帯会員の氏名であり、「性別」項目は、携帯会員の性別であり、「生年月日」項目は、携帯会員の生年月日である。
【０１０４】
「暗証番号」項目は、携帯会員が所有する携帯端末を利用して所定のサービスを受ける際、サービスを利用できる権限をもっている確認とともに、機密保護のために本人であることの確認に用いる番号である。なお、本実施例では、「暗証番号」項目には番号が記憶されていることとしたが、文字や数字の組み合わせからなる符号としてもよい。
【０１０５】
つぎに、携帯会員の入会操作について、図７を用いて説明する。図７は、携帯会員の入会操作画面の表示例を示す図である。
【０１０６】
図７の（Ａ）に示すように、パチンコ機３０の貸出レートと挿入されたビジターカードに関連付けられたレートとが異なる場合に、各台装置１０は、自動的に携帯会員の登録モードとなる。そして、各台装置１０は、携帯端末のタッチを促すメッセージを表示操作部１３へ表示させる。
【０１０７】
そして、携帯読取部１４は、携帯端末のタッチを受け付けたならば、ＩＤｍを読み取り、会員情報取得部１６ｅは、読み取ったＩＤｍに基づいて携帯端末の所有者が携帯会員であるか否かを判定する。
【０１０８】
つづいて、会員登録処理部１６ｃは、携帯端末の所有者が携帯会員でなかった場合に、会員登録の際に必要な項目、すなわち、上述した会員情報２２ｂに含まれる項目の入力を促すメッセージを表示操作部１３へ表示させる。
【０１０９】
たとえば、図７の（Ｂ）は、会員登録に必要な項目である「性別」項目の入力を促す画面の一例であり、図７の（Ｃ）は、会員登録に必要な項目である「暗証番号」項目の入力を促す画面の一例である。遊技客は、図７の（Ｂ）および（Ｃ）に示すような画面表示にしたがって、表示操作部１３に備えるテンキー等から各項目の入力を行うこととなる。
【０１１０】
なお、本実施例では、各台装置１０に備える表示操作部１３に携帯会員の会員登録を促すメッセージを表示して、表示操作部１３から会員登録に必要な項目の入力を受け付けることとした。しかし、ウェブサーバ装置が携帯会員の入会操作を受け付けることができるウェブページを提供することとしてもよい。
【０１１１】
この場合、管理装置２０が、携帯会員の登録画面が記載されているウェブページのＵＲＬをメール等で携帯会員の所有する携帯端末へ通知し、遊技客は通知されたＵＲＬに接続することで、携帯会員が所有する携帯端末から入会操作を行うことができる。携帯会員は、自身の使い慣れた携帯端末から入会操作を行うことによって、携帯会員に負荷をかけることなく会員登録処理を行うことができる。なお、各台装置１０が携帯端末へウェブページのＵＲＬを通知することとしてもよい。
【０１１２】
つぎに、本実施例に係る会員登録促進システムが実行する処理について図８を用いて説明する。
【０１１３】
図８は、各台装置１０が実行する会員サービス提供処理手順の概要を示すフローチャートである。なお、同図では、各台装置１０を操作する遊技客が非会員である場合、すなわち、各台装置１０へ会員カードが挿入されていない場合について示している。同図に示すように、カードＲ／Ｗ部１２は、レートと計数値とが関連付けられたビジターカードが挿入されたならば、ビジターカードの識別子を読み取る（ステップＳ１０１）。
【０１１４】
そして、持玉情報取得部１６ｂは、カードＲ／Ｗ部１２によって読み取ったビジターカードの識別子に関連付けられている持玉情報２２ａを取得し（ステップＳ１０２）、計数値の残数があるか否かを判定する（ステップＳ１０３）。
【０１１５】
持玉情報取得部１６ｂは、計数値の残数があったと判定した場合に（ステップＳ１０３，Ｙｅｓ）、ステップＳ１０２で取得した持玉情報２２ａに含まれるレートとレート情報１５ａの貸出レートが異なるか否かを判定する（ステップＳ１０４）。一方、持玉情報取得部１６ｂは、計数値の残数がないと判定した場合には（ステップＳ１０３，Ｎｏ）、処理を終了する。
【０１１６】
そして、持玉情報取得部１６ｂは、ステップＳ１０４で比較する２つのレートが異なると判定した場合に（ステップＳ１０４，Ｙｅｓ）、携帯会員の登録モードへの切り替え指示を会員登録処理部１６ｃへ渡す（ステップＳ１０５）。一方、持玉情報取得部１６ｂは、ステップＳ１０４で比較する２つのレートが同じであると判定した場合に（ステップＳ１０４，Ｎｏ）、処理を終了する。
【０１１７】
なお、会員登録処理部１６ｃは、持玉情報取得部１６ｂから携帯会員の登録モードへの切り替え指示を受け付けたならば、携帯端末のタッチを促すメッセージを表示操作部１３へ表示させることとなる。
【０１１８】
その後、携帯読取部１４は、携帯読取部１４に携帯端末のタッチを受け付けたか否かを判定し（ステップＳ１０６）、携帯端末のタッチを受け付けたと判定した場合に（ステップＳ１０６，Ｙｅｓ）、携帯端末のＩＤｍを読み取る（ステップＳ１０７）。一方、携帯読取部１４は、携帯読取部１４に携帯端末のタッチを受け付けなかった場合には（ステップＳ１０６，Ｎｏ）、携帯会員の会員登録が行われなかったと判定し、カードＲ／Ｗ部１２は、挿入されたビジターカードを返却し（ステップＳ１１２）、処理を終了する。
【０１１９】
そして、会員情報取得部１６ｅは、ステップＳ１０７で読み取ったＩＤｍに関連付けられている会員情報２２ｂを取得し（ステップＳ１０８）、携帯端末の所有者が携帯会員か否かを判定する（ステップＳ１０９）。
【０１２０】
会員登録処理部１６ｃは、携帯端末の所有者が携帯会員ではないと判定した場合には（ステップＳ１０９，Ｙｅｓ）、会員登録に必要な項目の入力を促すメッセージを表示操作部１３へ表示させることによって、携帯端末の所有者による入会操作を受け付ける（ステップＳ１１０）。一方、会員登録処理部１６ｃは、携帯端末の所有者が携帯会員であると判定した場合には（ステップＳ１０９，Ｎｏ）、ステップＳ１１１へ処理を移行する。
【０１２１】
その後、会員サービス提供部１６ｄは、携帯会員である遊技客に対して、「レート間移動サービス」を提供し（ステップＳ１１１）、各台装置１０が実行する一連の会員サービス提供処理を終了する。
【０１２２】
このように、パチンコ機３０の貸出レートとビジターカードに関連付けられたレートとが異なる場合に、すなわち、会員のみに許可された操作が行われた操作を各台装置１０が受け付けた場合に、各台装置１０は、携帯端末のタッチで会員登録が可能である旨を非会員の遊技客へ通知する。つづいて、各台装置１０は、携帯会員の登録モードへ自動的に遷移し、携帯会員の登録操作を受け付け、携帯会員に登録した遊技客に対して、「レート間移動サービス」をはじめとする各種会員サービスを提供する。
【０１２３】
このようにすることで、本実施例に係る会員登録促進システムは、遊技客に負荷をかけることなく会員登録処理を行うことができるとともに、会員登録を行った遊技客に対して、会員サービスをただちに提供することができる。
【０１２４】
なお、本実施例では、会員サービスの一例として「レート間移動サービス」を提供することとして説明したが、「貯玉サービス」を提供することとしてもよい。ここで、「貯玉サービス」とは、遊技客が獲得したパチンコ玉を遊技店に預けることができるサービスのことである。そして、遊技客は、貯玉されたパチンコ玉によって、当日または翌日以降に遊技店で再遊技をすることができる。
【０１２５】
具体的には、遊技客が獲得したパチンコ玉を貯玉するために「貯玉ボタン」が押下された場合、各台装置１０は、携帯端末のタッチを受け付けることによって、携帯端末の所有者が携帯会員であるか否かを判定する。
【０１２６】
そして、各台装置１０は、携帯会員ではないと判定した場合に、会員登録に必要な項目の入力を促すメッセージを表示操作部１３へ表示させ、入会操作を受け付けたならば、遊技客の携帯端末に貯玉を行うパチンコ玉の数（以下、「貯玉数」と記載する）を関連付ける。
【０１２７】
これにより、携帯会員の会員登録を行った遊技客は、翌日以降に遊技店で遊技を行う際に、再び各台装置１０に携帯端末をタッチすることによって、携帯端末に関連付けられた貯玉数による再遊技を行うことができる。
【０１２８】
ところで、本実施例においては、携帯会員に登録した遊技客は、各台装置１０によって「レート間移動サービス」をはじめとする各種会員サービスを受けることができる会員登録促進システムについて説明した。
【０１２９】
しかしながら、本発明はこれに限られるものではない。そこで、以下では、各台装置１０によって会員登録を行った遊技客に対して、「仮会員」として会員登録を行う場合の変形例について、図９を用いて説明する。
【０１３０】
図９は、携帯会員用サービス画面の表示例を示す図である。各台装置１０は、ビジターカードを挿入され、携帯端末のタッチを受け付けたことによって入力操作を促すメッセージを表示するまでは、上述した実施例と同じ処理手順とする。
【０１３１】
会員登録処理部１６ｃは、携帯会員の会員登録の際、入会操作によって入力された項目を会員情報２２ｂに登録するとともに、入会操作を行った遊技客に対しては「仮会員」として登録する。
【０１３２】
ここで、会員登録促進システムは、仮会員に対して「レート間移動サービス」をはじめとする会員サービスを提供する。たとえば、図９の（Ａ）の左に示すように、会員登録促進システムは、特典情報等の各種情報が表示されたウェブページのＵＲＬを仮会員の携帯端末へメール等で通知する。
【０１３３】
そして、仮会員の所有する携帯端末でＯＫボタンが押下されたことによって通知したＵＲＬに接続され、会員登録促進システムは、図９の（Ａ）の右に示すように、会員用のメニュー画面を表示する。
【０１３４】
その後、仮会員は、メニューから閲覧したい項目を選択することで、図９の（Ｂ）に示すように、仮会員によって選択された会員用のウェブページを閲覧することができる。ここで、会員登録促進システムは、図９の（Ｃ）に示すように、正規の会員にしか閲覧することを許可されていない項目が選択された場合に、正規の会員登録を促す表示を行う。
【０１３５】
そして、仮会員によって正規の会員登録が行われたならば、会員登録促進システムは、正規の会員にしか閲覧することを許可されていない項目のウェブページを表示することとなる。
【０１３６】
このように、変形例に係る会員登録促進システムは、各台装置１０で行われた携帯会員の入会操作を受け付けることによって、遊技客を「仮会員」として登録する。そして、変形例に係る会員登録促進システムは、「仮会員」が「正規の会員」のみに提供するよう制限されているサービスを受けようとした際に、「正規の会員」の登録を促す。
【０１３７】
その後、変形例に係る会員登録促進システムは、「仮会員」によって正規の会員登録が行われることによって、「正規の会員」として登録し、「正規の会員」に登録した遊技客に対して制限なく会員サービスを提供することとなる。
【０１３８】
以上のように、本実施例および本変形例に係る会員登録促進システムは、非会員の遊技客が携帯会員またはカード会員を対象に提供している会員サービスを受けようとした際に、各台装置に携帯端末をタッチさせることによって、携帯会員の登録を促す報知を行い、携帯会員の入会操作を行った遊技客に対して、会員サービスを提供することとした。
【０１３９】
このようにすることで、本実施例に係る会員登録促進システムは、遊技客に負荷をかけることなく会員登録処理を行うことができるとともに、会員登録を行った遊技客に対して会員サービスを、ただちに提供することができる。
【０１４０】
なお、上述した実施例では、管理装置２０に持玉情報２２ａと会員情報２２ｂとを記憶するように構成したが、別々の管理装置で記憶することとしてもよい。たとえば、管理装置２０で持玉情報２２ａを記憶し、図示しない会員管理装置が会員情報２２ｂを管理するよう構成することとしてもよい。
【０１４１】
また、上述した実施例では、各台装置１０は、携帯読取部１４で携帯端末のタッチを受け付けることによってＩＤｍを読み取り、読み取ったＩＤｍに関連付けて携帯会員の会員情報２２ｂを登録することとした。
【０１４２】
しかし、遊技客によって表示操作部１３から携帯端末を一意に識別することができる情報、たとえば、携帯端末の電話番号またはメールアドレスを受け付けて、会員登録の入会操作を行うようにしてもよい。
【０１４３】
これにより、ＦｅｌｉＣａ（登録商標）が内蔵されていない携帯端末を所有している遊技客であっても会員の登録を行うことができる。
【０１４４】
また、上述した実施例では、各台装置１０は、携帯読取部１４で携帯端末のタッチを受け付けることによってＩＤｍを読み取り、読み取ったＩＤｍおよび表示操作部１３が受け付けた会員登録に必要な項目を管理装置２０へ送信することとした。
【０１４５】
しかし、従業員が携帯するリモコン（携帯端末装置）によって会員登録の入会操作が行われることによって、リモコンからリモコン受光部３３経由で、入会操作の際に入力された項目を管理装置２０へ送信することとしてもよい。
【０１４６】
これにより、会員登録する際に、従業員が携帯するリモコンを使用することによって、各台装置１０に入会操作を行う機能を新たに付加する必要がないため、設備機器にかかる費用を削減することができる。
【０１４７】
また、上述した実施例では、各台装置１０は、携帯読取部１４で携帯端末のタッチを受け付けることによって携帯会員の会員登録処理を行う場合について説明したが、従業員が携帯するリモコン（携帯端末装置）等によってカード会員登録の入会操作を行うこととしてもよい。
【０１４８】
また、上述した実施例では、パチンコ遊技に適用する例を説明したが、パチスロ遊技を対象としてさらに含めた場合、または、パチスロ遊技のみを対象とした場合にも同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１４９】
以上のように、本発明に係る会員登録促進システムは、遊技客に負荷をかけることなく会員登録処理を行う場合に有用であり、特に、会員登録を行った遊技客に対して会員サービスをただちに提供したい場合に適している。
【符号の説明】
【０１５０】
１０    各台装置
１１    通信Ｉ／Ｆ
１２    カードＲ／Ｗ部
１３    表示操作部
１４    携帯読取部
１５    記憶部
１５ａ  レート情報
１６    制御部
１６ａ  終了処理部
１６ｂ  持玉情報取得部
１６ｃ  会員登録処理部
１６ｄ  会員サービス提供部
１６ｅ  会員情報取得部
２０    管理装置
２１    通信Ｉ／Ｆ
２２    記憶部
２２ａ  持玉情報
２２ｂ  会員情報
２３    制御部
２３ａ  持玉情報送受信部
２３ｂ  会員情報送信部
２３ｃ  会員登録部
３０    パチンコ機
３１    状態表示部
３２    紙幣挿入部
３３    リモコン受光部
３４    持玉払出部
３５    玉計数部
３６    玉貯留部
３７    計数表示部
３８    下皿
４０    島コントローラ
５０    精算機
６０    景品管理装置
７０    携帯端末処理機
【図１】
0005416579.tif 000002
【図２】
0005416579.tif 000003
【図３】
0005416579.tif 000004
【図４】
0005416579.tif 000005
【図５】
0005416579.tif 000006
【図６】
0005416579.tif 000007
【図７】
0005416579.tif 000008
【図８】
0005416579.tif 000009
【図９】
0005416579.tif 000010